(57)【要約】【課題】レーザドライバのバラツキやレーザドライバ，Ｄ／Ａコンバータにオフセットがあっても高精度の効率値で高速な書き出しでも記録品質を上げる。【解決手段】レーザコントローラは、Ｄ／Ａ変換器に０セットしてＬＤを点灯する（Ｓ１とＳ２）。ＡＤ（Ｐｒ）＝基準値Ｒ状態までＤＡ（Ｐｒ）を増加又は減少させてＤＡ（Ｐｒ）を取得し、それをＤＡ（ＰｒＯＮ）として記憶し、ＤＡ（Ｐｒ）をＤＡ（ＰｒＯＮ）でホールドし、ライトパルス信号をオンにする（Ｓ３〜Ｓ６）。その状態でＡＤ（Ｐｒ）＝基準値ＲになるまでＤＡ（Ｐｗ）を増加又は減少させてＤＡ（Ｐｗ）を取得し、それをＤＡ（Ｐｗ）ｏｆｆｓｅｔとして記憶し、ライトパルス信号をオフにし（Ｓ７〜Ｓ９）、ＡＤ（Ｐｒ）＝基準値ＲまでＤＡ（Ｐｒ）を制御（ＡＰＣ）し、通常のＡＰＣ動作に戻す（Ｓ１０）。【選択図】      図７
2004288277.tif 000002
【特許請求の範囲】
【請求項１】
記録媒体に対する情報の記録又は再生のための光を発光させる光源への電流供給手段と、前記光源の発光出力レベルをモニタする光出力レベルモニタ手段とを備えた光源駆動装置において、
前記記録媒体への情報の記録動作時、前記光源に第１のパワー値と該第１のパワー値よりも高い値の第２のパワー値とによる発光動作を交互に繰り返す制御を行う手段を有し、
前記電流供給手段は、前記第１のパワー値による発光時の第１電流値と前記第２のパワー値と前記第１のパワー値との差分の第２電流値とを加算して出力する手段と、前記第１のパワー値時の高周波電流値を前記第１電流値に重畳する手段と、前記第２のパワー値時に前記高周波電流値の重畳をオフ又は前記高周波電流値と異なる高周波電流値に切り替える手段とを有し、
前記記録媒体への情報の記録動作時、前記第２のパワー値による発光時の前記光出力検出手段の出力値をホールドする手段と、前記第１のパワー値による発光時の前記光出力検出手段の出力値をホールドする手段と、前記ホールドした各出力値がそれぞれ所望値になるように前記電流供給手段を制御する制御手段とを有し、
前記記録媒体への情報の記録動作時、前記第１のパワー値による発光時に高周波を重畳し、前記第２のパワー値による発光時には高周波を重畳しないようにする又は前記第１のパワー値による発光時に重畳する高周波と異なる量の高周波を重畳する手段を有し、
前記記録媒体への情報の記録前に、前記第１のパワー値で高周波を重畳した第１の発光期間と、前記第１のパワー値で高周波を重畳しない発光期間又は前記第２のパワー値による発光時に重畳する量の高周波を重畳した前記第１のパワー値での発光期間である第２の発光期間とを設け、前記第１の発光期間と前記第２の発光期間との前記光源の駆動電流の電流差値を保持し、前記第２のパワー値による発光時又は発光後、前記第２のパワー値による前記第２電流値の効率値を求め、前記第２電流値の効率値を前記電流差値で補正した補正効率値を求め、前記第２のパワー値の変更時、前記効率値と前記補正効率値と前記電流差値とに基づいて前記第２のパワー値の変更後の前記第２電流値の電流初期値を決定する手段を有し、
前記電流差値の取得時、前記記録媒体への情報の記録前に、前記第１の発光期間では前記第１電流値のみによる制御を行い、前記第２の発光期間では前記第１電流値のみによる制御の前記第１電流値を保持した状態で、前記第２電流値にオフセット値を加算した状態で前記第１のパワー値になるように前記第２電流値の出力を制御し、前記電流差値を前記第２電流値に基づくオフセット値として取得する手段を設けたことを特徴とする光源駆動装置。
【請求項２】
記録媒体に対する情報の記録又は再生のための光を発光させる光源への電流供給手段と、前記光源の発光出力レベルをモニタする光出力レベルモニタ手段とを備えた光源駆動装置において、
前記記録媒体への情報の記録動作時、前記光源に第１のパワー値と該第１のパワー値よりも高い値の第２のパワー値と前記第１のパワー値と前記第２のパワー値よりも高い値の第３のパワー値とによる発光動作を交互に繰り返す制御を行う手段を有し、
前記電流供給手段は、前記第１のパワー値による発光時の第１電流値と前記第２のパワー値と前記第１のパワー値との差分の第２電流値と前記第３のパワー値と前記第２のパワー値との差分の第３電流値とを加算して出力する手段と、前記第１のパワー値時の高周波電流値を前記第１電流値に重畳する手段と、前記第２のパワー値及び前記第３のパワー値時に前記高周波電流値の重畳をオフ又は前記高周波電流値と異なる高周波電流値に切り替える手段とを有し、
前記記録媒体への情報の記録動作時、前記第２のパワー値による発光時の前記光出力検出手段の出力値をホールドする手段と、前記第１のパワー値による発光時の前記光出力検出手段の出力値をホールドする手段と、前記ホールドした各出力値がそれぞれ所望値になるように前記電流供給手段を制御する制御手段とを有し、
前記記録媒体への情報の記録動作時、前記第１のパワー値による発光時に高周波を重畳し、前記第２のパワー値及び前記第３のパワー値による発光時には高周波を重畳しないようにする又は前記第１のパワー値による発光時に重畳する高周波と異なる量の高周波を重畳する手段を有し、
前記記録媒体への情報の記録前に、前記第１のパワー値で高周波を重畳した第１の発光期間と、前記第１のパワー値で高周波を重畳しない発光期間又は前記第２のパワー値及び前記第３のパワー値による発光時に重畳する量の高周波を重畳した前記第１のパワー値での発光期間である第２の発光期間とを設け、前記第１の発光期間と前記第２の発光期間との前記光源の駆動電流の電流差値又は該電流差値に比例した比例値を保持し、前記第２のパワー値による発光時又は発光後、前記第２のパワー値による前記第２電流値の効率値を求め、前記第２電流値の効率値を前記電流差値で補正した補正効率値を求め、前記補正効率値に基づいて前記第３のパワー値の発光を行うための第３電流値を決定して前記電流供給手段へ与える手段を有し、
前記電流差値の取得時、前記記録媒体への情報の記録前に、前記第１の発光期間では前記第１電流値のみによる制御を行い、前記第２の発光期間では前記第１電流値のみによる制御の前記第１電流値を保持した状態で、前記第２電流値にオフセット値を加算した状態で前記第１のパワー値になるように前記第２電流値の出力を制御し、前記電流差値を前記第２電流値に基づくオフセット値として取得する手段を設けたことを特徴とする光源駆動装置。
【請求項３】
記録媒体に対する情報の記録又は再生のための光を発光させる光源への電流供給手段と、前記光源の発光出力レベルをモニタする光出力レベルモニタ手段とを備えた光源駆動装置において、
前記記録媒体への情報の記録動作時、前記光源に第１のパワー値と該第１のパワー値よりも高い値の第２のパワー値と前記第１のパワー値と前記第２のパワー値よりも高い値の第３のパワー値とによる発光動作を交互に繰り返す制御を行う手段を有し、
前記電流供給手段は、前記第１のパワー値による発光時の第１電流値と前記第２のパワー値と前記第１のパワー値との差分の第２電流値と前記第３のパワー値と前記第２のパワー値との差分の第３電流値とを加算して出力する手段と、前記第１のパワー値時の高周波電流値を前記第１電流値に重畳する手段と、前記第２のパワー値及び前記第３のパワー値時に前記高周波電流値の重畳をオフ又は前記高周波電流値と異なる高周波電流値に切り替える手段とを有し、
前記記録媒体への情報の記録動作時、前記第３のパワー値による発光時の前記光出力検出手段の出力値をホールドする手段と、前記第１のパワー値による発光時の前記光出力検出手段の出力値をホールドする手段と、前記ホールドした各出力値がそれぞれ所望値になるように前記電流供給手段を制御する制御手段とを有し、
前記記録媒体への情報の記録動作時、前記第１のパワー値による発光時に高周波を重畳し、前記第２のパワー値及び前記第３のパワー値による発光時には高周波を重畳しないようにする又は前記第１のパワー値による発光時に重畳する高周波と異なる量の高周波を重畳する手段を有し、
前記記録媒体への情報の記録前に、前記第１のパワー値で高周波を重畳した第１の発光期間と、前記第１のパワー値で高周波を重畳しない発光期間又は前記第２のパワー値及び前記第３のパワー値による発光時に重畳する量の高周波を重畳した前記第１のパワー値での発光期間である第２の発光期間とを設け、前記第１の発光期間と前記第２の発光期間との前記光源の駆動電流の電流差値又は該電流差値に比例した比例値を保持し、前記第３のパワー値による発光時又は発光後、前記第３のパワー値による前記第３電流値の効率値を求め、前記第３電流値の効率値を前記電流差値で補正した補正効率値を求め、前記補正効率値に基づいて前記第２のパワー値の発光を行うための第２電流値と第３電流値とを決定して前記電流供給手段へ与える手段を有し、
前記電流差値の取得時、前記記録媒体への情報の記録前に、前記第１の発光期間では前記第１電流値のみによる制御を行い、前記第２の発光期間では前記第１電流値のみによる制御の前記第１電流値を保持した状態で、前記第２電流値にオフセット値を加算した状態で前記第１のパワー値になるように前記第２電流値の出力を制御し、前記電流差値を前記第２電流値に基づくオフセット値として取得する手段を設けたことを特徴とする光源駆動装置。
【請求項４】
請求項１又は２記載の光源駆動装置において、前記第２電流値の効率値＝（前記第２のパワー値−前記第１のパワー値）／前記第２電流値，前記補正効率値＝（前記第２のパワー値−前記第１のパワー値）／（前記第２電流値−前記電流差値）であることを特徴とする光源駆動装置。
【請求項５】
請求項２記載の光源駆動装置において、前記第３電流値＝（前記第３のパワー値−前記第２のパワー値）／前記補正効率値であることを特徴とする光源駆動装置。
【請求項６】
請求項３記載の光源駆動装置において、前記第３電流値の効率値＝（前記第３のパワー値−前記第１のパワー値）／（前記第２電流値＋前記第３電流値），前記補正効率値＝（前記第３のパワー値−前記第１のパワー値）／（前記第２電流値＋前記第３電流値−前記電流差値），前記第２電流値＝（前記第２のパワー値−前記第１のパワー値）／前記補正効率値＋前記電流差値，前記第３電流値＝（前記第３のパワー値−前記第２のパワー値）／前記補正効率値であることを特徴とする光源駆動装置。
【請求項７】
請求項１乃至６のいずれか一項に記載の光源駆動装置において、フォーカスサーボ系によってフォーカスオン状態で前記第１の発光期間と前記第２の発光期間にするようにしたことを特徴とする光源駆動装置。
【請求項８】
請求項７記載の光源駆動装置において、
フォーカスサーボ系によってフォーカスオン状態を維持できなくなってフォーカスオフ状態になってしまった場合、再度フォーカスサーボ系によってフォーカスオン状態にして前記第１の発光期間又は前記第２の発光期間にし、前記オフセット値を取得するようにしたことを特徴とする光源駆動装置。
【請求項９】
請求項７又は８記載の光源駆動装置において、
前記フォーカスオン状態がフォーカスオフ状態になってしまって前記オフセット値を取得できない場合、又は数回リトライを行っても前記オフセット値を取得できない場合、前記オフセット値を所定倍にした第２のオフセット値に変更するようにしたことを特徴とする光源駆動装置。
【請求項１０】
請求項１乃至９のいずれか一項に記載の光源駆動装置において、再生時の発光パワー値と記録時の第１のパワー値が異なる場合、再生時の発光パワー値から記録時の第１のパワー値にパワー値変更後、前記記録媒体への情報の記録前のオフセット値を求めるようにしたことを特徴とする光源駆動装置。
【発明の詳細な説明】
【０００１】
【発明の属する技術分野】
この発明は、記録媒体に記録時ピットを形成する記録パワーとピットを形成しない再生パワーを交互に繰り返すＣＤ−ＲドライブやＣＤ−ＲＷドライブ等の装置に用いられるレーザ駆動制御回路等の光源駆動装置に関する。
【０００２】
【従来の技術】
レーザダイオードの駆動電流値である（レーザ駆動電流値）対レーザダイオードのレーザ出射パワー値である（発光パワー値）との関係は高周波重畳の量により変化する。
図１５及び図１６は、レーザダイオード（ＬＤ）のレーザ駆動電流値とレーザ出射パワー値との関係を示した図である。
記録時高周波を重畳しない記録パワー値と高周波を重畳した再生パワー値を交互に繰り返した場合、再生パワー値は高周波を重畳した状態で制御される為、図１５に示すように、再生パワー値分のレーザ駆動電流値は高周波を重畳した時のレーザダイオードの（レーザ駆動電流値）対（発光パワー値）の関係より決定される。
【０００３】
一方、記録パワー値で発光時高周波を重畳しない場合もしくは少ない量の高周波を重畳した場合は再生パワー値分の電流はもっと大きい値であるが、その分は供給されないので、図１６に示すように、結局再生パワー値分の電流に加算すべき記録パワー値分の電流が大きく見えてしまう。
つまり、図１６中の真の効率値に対して記録パワー分の電流効率値に誤差が生じてしまうことになる（図中「誤差を含んだ効率値の部分」）。
従来の光源駆動装置では、上記誤差があっても記録速度が遅いために所望のパワー値に達することができた（例えば、特許文献１，２参照）。
【０００４】
【特許文献１】
特開平０６−２２３３９９号公報
【特許文献２】
特開平１１−２３５７７９号公報
【０００５】
【発明が解決しようとする課題】
しかしながら、上述した従来の技術では、記録速度が速くなった場合が十分考慮されていないので、記録媒体への記録速度がどんどん早くなり、所望のパワー値に達する前に一記録パワー期間が終了してしまう事態が生じてしまい、その結果として最適な記録パワー値が得られずに記録品質が低下してしまうという問題があった。
また、ゾーンＣＬＶ（ＺｏｎｅＣＬＶ）記録などにより、ある位置から記録速度と共に記録パワーを変更する場合、変更のパワーが早く所望のパワーに達しないと達するまでの時間は記録品質が低下してしまう。そこで、記録速度が速い場合のテスト記録の際に設定パワーと実際の発光パワーのずれによる記録品質の低下を防ぐようにするとよい。
【０００６】
例えば、ライト前に高周波重畳回路の出力をオフ（ＯＦＦ）する期間を設けて自動パワー制御（Ａｕｔｏ  Ｐｏｗｅｒ  Ｃｏｎｔｒｏｌ：ＡＰＣ）を行うことにより、高周波重畳のオン（ＯＮ）時のＤＡ（ＰｒＯＮ）と高周波重畳のオフ（ＯＦＦ）時のＤＡ（ＰｒＯＦＦ）を取得し、その差ＤＡ（Ｐｒ差）＝ＤＡ（ＰｒＯＦＦ）−ＤＡ（ＰｒＯＮ）を求めておき、次にライト発光を開始し、ＡＰＣを行ってＤＡ（Ｐｗ）からライトパワーの電流効率値を取得する際、補正効率値＝（Ｐｗ−Ｐｒ）／（ＤＡ（Ｐｗ）−ＤＡ（Ｐｒ差）×α）とする。
【０００７】
ここで上記補正効率の演算式においてαをかけているのは再生パワー制御側と記録パワー側で電流ゲインが異なる場合に、算出したＤＡ（Ｐｒ差）を記録パワー側の電流ゲインに換算する為の係数としているが、その係数は実際に市販されているレーザドライバなどでは１０％程度のバラツキをもっており、したがって装置毎に大きくバラツキがあり、また、ＤＡ（Ｐｗ）にオフセットがあるなどにより、改善はされてもより高速なシステムでの検討が不十分であるという問題があった。
【０００８】
この発明は上記の課題を解決するためになされたものであり、レーザドライバなどのバラツキやレーザドライバあるいはＤ／Ａコンバータが有するオフセットがあってもより高精度に効率を求めてより高速なシステムで書き出し記録品質を上げられるようにすることを目的とする。
【０００９】
【課題を解決するための手段】
この発明は上記の目的を達成するため、次の（１）〜（７）の光源駆動装置を提供する。
（１）記録媒体に対する情報の記録又は再生のための光を発光させる光源への電流供給手段と、上記光源の発光出力レベルをモニタする光出力レベルモニタ手段とを備えた光源駆動装置において、上記記録媒体への情報の記録動作時、上記光源に第１のパワー値とその第１のパワー値よりも高い値の第２のパワー値とによる発光動作を交互に繰り返す制御を行う手段を有し、上記電流供給手段は、上記第１のパワー値による発光時の第１電流値と上記第２のパワー値と上記第１のパワー値との差分の第２電流値とを加算して出力する手段と、上記第１のパワー値時の高周波電流値を上記第１電流値に重畳する手段と、上記第２のパワー値時に上記高周波電流値の重畳をオフ又は上記高周波電流値と異なる高周波電流値に切り替える手段とを有し、上記記録媒体への情報の記録動作時、上記第２のパワー値による発光時の上記光出力検出手段の出力値をホールドする手段と、上記第１のパワー値による発光時の上記光出力検出手段の出力値をホールドする手段と、上記ホールドした各出力値がそれぞれ所望値になるように上記電流供給手段を制御する制御手段とを有し、上記記録媒体への情報の記録動作時、上記第１のパワー値による発光時に高周波を重畳し、上記第２のパワー値による発光時には高周波を重畳しないようにする又は上記第１のパワー値による発光時に重畳する高周波と異なる量の高周波を重畳する手段を有し、上記記録媒体への情報の記録前に、上記第１のパワー値で高周波を重畳した第１の発光期間と、上記第１のパワー値で高周波を重畳しない発光期間又は上記第２のパワー値による発光時に重畳する量の高周波を重畳した上記第１のパワー値での発光期間である第２の発光期間とを設け、上記第１の発光期間と上記第２の発光期間との上記光源の駆動電流の電流差値を保持し、上記第２のパワー値による発光時又は発光後、上記第２のパワー値による上記第２電流値の効率値を求め、上記第２電流値の効率値を上記電流差値で補正した補正効率値を求め、上記第２のパワー値の変更時、上記効率値と上記補正効率値と上記電流差値とに基づいて上記第２のパワー値の変更後の上記第２電流値の電流初期値を決定する手段を有し、上記電流差値の取得時、上記記録媒体への情報の記録前に、上記第１の発光期間では上記第１電流値のみによる制御を行い、上記第２の発光期間では上記第１電流値のみによる制御の上記第１電流値を保持した状態で、上記第２電流値にオフセット値を加算した状態で上記第１のパワー値になるように上記第２電流値の出力を制御し、上記電流差値を上記第２電流値に基づくオフセット値として取得する手段を設けた光源駆動装置。
【００１０】
（２）記録媒体に対する情報の記録又は再生のための光を発光させる光源への電流供給手段と、上記光源の発光出力レベルをモニタする光出力レベルモニタ手段とを備えた光源駆動装置において、上記記録媒体への情報の記録動作時、上記光源に第１のパワー値とその第１のパワー値よりも高い値の第２のパワー値と上記第１のパワー値と上記第２のパワー値よりも高い値の第３のパワー値とによる発光動作を交互に繰り返す制御を行う手段を有し、上記電流供給手段は、上記第１のパワー値による発光時の第１電流値と上記第２のパワー値と上記第１のパワー値との差分の第２電流値と上記第３のパワー値と上記第２のパワー値との差分の第３電流値とを加算して出力する手段と、上記第１のパワー値時の高周波電流値を上記第１電流値に重畳する手段と、上記第２のパワー値及び上記第３のパワー値時に上記高周波電流値の重畳をオフ又は上記高周波電流値と異なる高周波電流値に切り替える手段とを有し、上記記録媒体への情報の記録動作時、上記第２のパワー値による発光時の上記光出力検出手段の出力値をホールドする手段と、上記第１のパワー値による発光時の上記光出力検出手段の出力値をホールドする手段と、上記ホールドした各出力値がそれぞれ所望値になるように上記電流供給手段を制御する制御手段とを有し、上記記録媒体への情報の記録動作時、上記第１のパワー値による発光時に高周波を重畳し、上記第２のパワー値及び上記第３のパワー値による発光時には高周波を重畳しないようにする又は上記第１のパワー値による発光時に重畳する高周波と異なる量の高周波を重畳する手段を有し、上記記録媒体への情報の記録前に、上記第１のパワー値で高周波を重畳した第１の発光期間と、上記第１のパワー値で高周波を重畳しない発光期間又は上記第２のパワー値及び上記第３のパワー値による発光時に重畳する量の高周波を重畳した上記第１のパワー値での発光期間である第２の発光期間とを設け、上記第１の発光期間と上記第２の発光期間との上記光源の駆動電流の電流差値又はその電流差値に比例した比例値を保持し、上記第２のパワー値による発光時又は発光後、上記第２のパワー値による上記第２電流値の効率値を求め、上記第２電流値の効率値を上記電流差値で補正した補正効率値を求め、上記補正効率値に基づいて上記第３のパワー値の発光を行うための第３電流値を決定して上記電流供給手段へ与える手段を有し、上記電流差値の取得時、上記記録媒体への情報の記録前に、上記第１の発光期間では上記第１電流値のみによる制御を行い、上記第２の発光期間では上記第１電流値のみによる制御の上記第１電流値を保持した状態で、上記第２電流値にオフセット値を加算した状態で上記第１のパワー値になるように上記第２電流値の出力を制御し、上記電流差値を上記第２電流値に基づくオフセット値として取得する手段を設けた光源駆動装置。
【００１１】
（３）記録媒体に対する情報の記録又は再生のための光を発光させる光源への電流供給手段と、上記光源の発光出力レベルをモニタする光出力レベルモニタ手段とを備えた光源駆動装置において、上記記録媒体への情報の記録動作時、上記光源に第１のパワー値とその第１のパワー値よりも高い値の第２のパワー値と上記第１のパワー値と上記第２のパワー値よりも高い値の第３のパワー値とによる発光動作を交互に繰り返す制御を行う手段を有し、上記電流供給手段は、上記第１のパワー値による発光時の第１電流値と上記第２のパワー値と上記第１のパワー値との差分の第２電流値と上記第３のパワー値と上記第２のパワー値との差分の第３電流値とを加算して出力する手段と、上記第１のパワー値時の高周波電流値を上記第１電流値に重畳する手段と、上記第２のパワー値及び上記第３のパワー値時に上記高周波電流値の重畳をオフ又は上記高周波電流値と異なる高周波電流値に切り替える手段とを有し、上記記録媒体への情報の記録動作時、上記第３のパワー値による発光時の上記光出力検出手段の出力値をホールドする手段と、上記第１のパワー値による発光時の上記光出力検出手段の出力値をホールドする手段と、上記ホールドした各出力値がそれぞれ所望値になるように上記電流供給手段を制御する制御手段とを有し、上記記録媒体への情報の記録動作時、上記第１のパワー値による発光時に高周波を重畳し、上記第２のパワー値及び上記第３のパワー値による発光時には高周波を重畳しないようにする又は上記第１のパワー値による発光時に重畳する高周波と異なる量の高周波を重畳する手段を有し、上記記録媒体への情報の記録前に、上記第１のパワー値で高周波を重畳した第１の発光期間と、上記第１のパワー値で高周波を重畳しない発光期間又は上記第２のパワー値及び上記第３のパワー値による発光時に重畳する量の高周波を重畳した上記第１のパワー値での発光期間である第２の発光期間とを設け、上記第１の発光期間と上記第２の発光期間との上記光源の駆動電流の電流差値又はその電流差値に比例した比例値を保持し、上記第３のパワー値による発光時又は発光後、上記第３のパワー値による上記第３電流値の効率値を求め、上記第３電流値の効率値を上記電流差値で補正した補正効率値を求め、上記補正効率値に基づいて上記第２のパワー値の発光を行うための第２電流値と第３電流値とを決定して上記電流供給手段へ与える手段を有し、上記電流差値の取得時、上記記録媒体への情報の記録前に、上記第１の発光期間では上記第１電流値のみによる制御を行い、上記第２の発光期間では上記第１電流値のみによる制御の上記第１電流値を保持した状態で、上記第２電流値にオフセット値を加算した状態で上記第１のパワー値になるように上記第２電流値の出力を制御し、上記電流差値を上記第２電流値に基づくオフセット値として取得する手段を設けた光源駆動装置。
【００１２】
（４）（１）又は（２）の光源駆動装置において、上記第２電流値の効率値＝（上記第２のパワー値−上記第１のパワー値）／上記第２電流値，上記補正効率値＝（上記第２のパワー値−上記第１のパワー値）／（上記第２電流値−上記電流差値）である光源駆動装置。
（５）（２）の光源駆動装置において、上記第３電流値＝（上記第３のパワー値−上記第２のパワー値）／上記補正効率値である光源駆動装置。
（６）（３）の光源駆動装置において、上記第３電流値の効率値＝（上記第３のパワー値−上記第１のパワー値）／（上記第２電流値＋上記第３電流値），上記補正効率値＝（上記第３のパワー値−上記第１のパワー値）／（上記第２電流値＋上記第３電流値−上記電流差値），上記第２電流値＝（上記第２のパワー値−上記第１のパワー値）／上記補正効率値＋上記電流差値，上記第３電流値＝（上記第３のパワー値−上記第２のパワー値）／上記補正効率値である光源駆動装置。
（７）（１）乃至（６）のいずれかの光源駆動装置において、フォーカスサーボ系によってフォーカスオン状態で上記第１の発光期間と上記第２の発光期間にするようにした光源駆動装置。
（８）（７）の光源駆動装置において、フォーカスサーボ系によってフォーカスオン状態を維持できなくなってフォーカスオフ状態になってしまった場合、再度フォーカスサーボ系によってフォーカスオン状態にして上記第１の発光期間又は上記第２の発光期間にし、上記オフセット値を取得するようにした光源駆動装置。
（９）（７）又は（８）の光源駆動装置において、上記フォーカスオン状態がフォーカスオフ状態になってしまって上記オフセット値を取得できない場合、又は数回リトライを行っても上記オフセット値を取得できない場合、上記オフセット値を所定倍にした第２のオフセット値に変更するようにした光源駆動装置。
（１０）（１）乃至（９）のいずれかの光源駆動装置において、再生時の発光パワー値と記録時の第１のパワー値が異なる場合、再生時の発光パワー値から記録時の第１のパワー値にパワー値変更後、上記記録媒体への情報の記録前のオフセット値を求めるようにした光源駆動装置。
【００１３】
【発明の実施の形態】
以下、この発明の実施形態を図面に基づいて具体的に説明する。
図２は、この発明の光源駆動装置の一実施形態であるレーザコントローラを用いたＣＤ−Ｒドライブ等の情報記録再生装置の構成を示すブロック図である。
図２に示す情報記録再生装置はＣＤ−Ｒドライブ等の光ディスク装置であり、ＣＤやＣＤ−ＲＯＭディスク等の読み出し専用記録媒体の情報の再生や、一度だけ書き込み可能なＣＤフォーマットに準拠したディスクであるＣＤ−Ｒディスク（Ｃｏｍｐａｃｔ  Ｄｉｓｃ−Ｒｅｃｏｒｄａｂｌｅディスク）等の記録媒体に対する情報の記録及び再生を行う。
【００１４】
上記記録媒体は、例えば、ＣＤ（Ｃｏｍｐａｃｔ  Ｄｉｓｃ）はディスク基板上にデータ列をピットと呼ばれる穴の有無で表現し、ディスク基板上にレーザ光をあてて、その反射光変化でピットの有無に基づくデータを読み取る。そのデータ列はレコードのようにディスク基板上に螺旋状にならべられている。その螺旋状に配された線をトラックと呼んでおり、隣りあうトラック間の距離は１．６ミクロンである。
【００１５】
この情報記録再生装置は、図２に示すように、ＲＯＭ１６，ＣＰＵ１８，ＲＡＭ１７等からなるマイクロコンピュータを内蔵し、ＣＰＵ１８がＲＯＭ１６に格納された制御プログラムに基づいてＲＡＭ１７を用いた制御処理を実行し、スピンドルモータ（Ｓｐｉｎｄｌｅ  Ｍｏｔｏｒ）１によってＣＤ，ＣＤ−ＲＯＭディスク，ＣＤ−Ｒディスク等の光ディスク（記録媒体）２０を回転駆動して、光ディスク２０に対するデータの記録及び再生を行う。
モータドライバ（Ｍｏｔｏｒ  Ｄｒｉｖｅｒ）３とサーボ（Ｓｅｒｖｏ）９は、スピンドルモータ１が一定速度で回転駆動するように制御する。
【００１６】
光ピックアップ（Ｐｉｃｋ  Ｕｐ）２は、光ディスク２０に照射するレーザ光を発光する半導体レーザ光源であるレーザダイオード（Ｌａｓｅｒ  Ｄｉｏｄｅ：ＬＤ），レンズ等の光学系，レーザ光Ｌの焦点が光ディスク２０に合うようにレンズの位置を光ディスク２０の基板に対して垂直方向に動かす機構であるフォーカスアクチュエータ，レーザ光Ｌの焦点が光ディスク２０の基板上に形成されたトラックをトレースするように光ディスク２０の半径方向（スレッジ方向）にレンズを動かす機構であるトラックアクチュエータ，光ディスク２０に照射したレーザ光Ｌの反射光を受光する受光素子であるフォトディテクタ（Ｐｈｏｔｏ  Ｄｅｔｅｃｔｏｒ：ＰＤ），ポジションセンサ等を内蔵しており（これらは公知なので図２には図示を省略した）、レーザ光Ｌを光ディスクに照射する。
【００１７】
また，光ピックアップ２の全体部は、同じく公知なので図示を省略したシークモータによってスレッジ方向に移動可能である。上記フォーカスアクチュエータ，トラックアクチュエータ，シークモータは、受光素子，ポジションセンサから得られた信号に基づいてモータドライバ３とサーボ９によってレーザ光Ｌのスポットが光ディスク２０の基板上の目的の場所に位置するように制御される。
【００１８】
光ディスク２０に記録されたデータを読み出す場合（データ再生の場合）、光ピックアップ２で得られた再生信号はリードアンプ（Ｒｅａｄ  Ａｍｐ）５で増幅されてイコライザ処理や２値化（デジタル化）された後、ＣＤデコーダ（ＣＤＤｅｃｏｄｅｒ）８に入力されてＥＦＭ復調される。そのＥＦＭはＥｉｇｈｔｔｏ  Ｆｏｕｒｔｅｅｎ  Ｍｏｄｕｌａｔｉｏｎの略であり、光ディスク２０には光学的に再生又は記録し易いように８ビット（ｂｉｔ）データを１４ビットのデータに変調したデータが書かれている。ＥＦＭ復調されたデータはＣＤ−ＲＯＭデコーダ１２でデインタリーブ（並べ替え直し）とエラー訂正の処理を受ける。
【００１９】
その後、そのデータはバッファマネージャ（Ｂｕｆｆｅｒ  Ｍａｎａｇｅｒ）１４によって一旦バッファＲＡＭ（Ｂｕｆｆｅｒ  ＲＡＭ）１１に蓄えられ、セクタデータとしてそろった段階でＡＴＡＰＩやＳＣＳＩ等のインタフェース（Ｉ／Ｆ）１５を介してホストコンピュータに一気に送られる。
また、光ディスク２０に記録されたデータが音楽データの場合、ＣＤデコーダ８から出てきたデータはＤ／Ａコンバータ１３に入力されてアナログのオーディオ信号が取り出される。
【００２０】
一方、光ディスク２０へデータを書き込む場合（データ記録の場合）、インタフェース１５を通してホストコンピュータから送られてきたデータをバッファマネージャ１４によって一旦バッファＲＡＭ１１に蓄え、バッファＲＡＭ１１にある程度データが貯まったところで書き込みを開始するが、その前にレーザ光Ｌのスポット（レーザスポット）を書き込み開始地点に位置させなければならない。その開始地点はトラックの蛇行によって予め光ディスク２０に刻まれているウォブル信号から求められる。そのウォブル信号にはＡＴＩＰと呼ばれる絶対時間情報が含まれており、上述のデータの読み出し時の処理で得られたリードアンプ５からの信号に基づいてＡＴＩＰデコーダ７によってその絶対時間情報が取り出せる。
【００２１】
ＡＴＩＰデコーダ７が生成する同期信号はＣＤエンコーダ６に入力されて正確な位置でのデータの書き出しを可能にしている。バッファＲＡＭ１１のデータはＣＤ−ＲＯＭエンコーダ１０やＣＤエンコーダ６でエラー訂正コードの不可やインターリーブ（並べ替え）が行われた後にＥＦＭ変調され、レーザコントローラ（Ｌａｓｅｒ  Ｃｏｎｔｒｏｌｌｅｒ）４，光ピックアップ２を介して光ディスク２０に記録される。
【００２２】
図１は、図２に示したこの発明の光源駆動装置の一実施形態であるレーザコントローラの内部構成を示すブロック図である。
同図には、上記レーザコントローラ（レーザコントローラ回路）４の内部構成を、図１の光ピックアップ２に搭載されたＬＤ及びそのＬＤの出射パワーをモニタする為の素子であるＰＤと共に示している。
このレーザコントローラ４では、ＬＤから出射されたレーザ光の一部はパワーモニタであるＰＤに入射される。そのＰＤは、図３に示すように、入射されるレーザ光のパワーであるＰＤ入射光量に比例した電流値であるＰＤ出力電流値を出力する。
【００２３】
例えば、光ディスク２０としてＣＤ−Ｒディスクにデータ記録を行う際には、ＬＤ（光源）に第１のパワー値Ｐ１とその第１のパワー値Ｐ１よりも高い値の第２のパワー値Ｐ２とによる発光動作を交互に繰り返す制御を行い、ＬＤからは第１のパワー値Ｐ１とその第１のパワー値Ｐ１よりも高い値の第２のパワー値Ｐ２が繰り返し出射される。その第１のパワー値Ｐ１と第２のパワー値Ｐ２の出射される時間は記録するＥＦＭ信号に基づいたものである。
つまり、出射される時間はある単位をＴとするとＴの３〜１１のうちの整数倍された長さである。実際には、上記３〜１１のうちの整数倍の時間長を記録品質をよくするため、若干短くあるいは若干長くしたりするが、本発明の主旨と関係ないのでその詳細な説明は省略する。
【００２４】
上記第１のパワー値Ｐ１は、一般的には光ディスクからデータ（情報）を読み出す再生時のパワー値（Ｐｒ）であり、第２のパワー値Ｐ２は光ディスクの記録膜である有機色素に十分な熱を与えて基板上にに良好なピットを形成するための記録パワー値（Ｐｗ）である。
【００２５】
図４は、ＬＤから出射される具体的な発光波形例を示す波形図である。
同図において、時間ｔ（ライトスタート）よりも前の波形部分が光ディスクからデータを読み出す場合の発光波形であり、時間ｔ（ライトスタート）よりも後の波形部分が光ディスクにデータを書き込む場合の発光波形である。
光ディスクのデータを読み出す場合、ＬＤからは一般的に１ｍＷ以下（より具体的には０．４ｍＷ等）の再生パワー値Ｐｒが一定光量で出力される。
【００２６】
一方、記録時は再生パワー値Ｐｒと記録パワー値Ｐｗの発光が繰り返される。記録パワー値Ｐｗは、一般に数ｍＷ〜数１０ｍＷである（より具体的には５ｍＷ〜４０ｍＷの間で実際に試し書き込みを行って記録特性が良いパワーが選ばれる）。記録パワー値Ｐｗも再生パワー値Ｐｒと同様にＡＰＣされて一定光量が保たれる。すなわち、この発明の請求項１に係る第１のパワー値Ｐ１が上記再生パワー値Ｐｒに、第２のパワー値Ｐ２が上記記録パワー値Ｐｗにそれぞれ相当する。
【００２７】
次に、図１と図４に基づいてレーザコントローラ４における上記ＡＰＣについて説明する。
このレーザコントローラ４は、上述した光出力レベルモニタ手段に相当するＡＰＣ制御部３０と、同じく上述した電流供給手段に相当するＬＤドライバ部４０とからなる。
まず、ＰＤに入射された光は光電変換によって光量に比例した電流値のかたちで出力される。つまり、ＬＤから出射されるレーザ光の発光波形が図４に示したような波形の場合、図４の縦軸を電流値に置き換えたような波形が出力される。次にＩ／Ｖ変換器（Ｉ／Ｖ変換回路）３１によって上記電流値を電圧値に変換する。ここで、Ｉ／Ｖ変換器３１によって出力される電圧値を第１のパワー値Ｐ１に相当する再生パワー値の電圧値をＶ（Ｐｒ），第２のパワー値Ｐ２に相当する記録パワー値の電圧値をＶ（Ｐｗ）とする。
【００２８】
すなわち、この発明の請求項１に係る第１のパワー値による発光時の光出力検出手段の出力値Ｖｍ１が上記電圧値Ｖ（Ｐｒ）に、第２のパワー値による発光時の光出力検出手段の出力値Ｖｍ２が上記電圧値Ｖ（Ｐｗ）にそれぞれ相当する。その出力は、再生時はＶ（Ｐｒ）レベルのみの信号であるが、記録時はＶ（Ｐｒ）とＶ（Ｐｗ）が交互に変化する信号であるため、サンプルホールド（Ｓ／Ｈ）回路Ｒ３２（ボトムホールド回路でも良い）とサンプルホールド（Ｓ／Ｈ）回路Ｗ３３（ピークホールド回路でも良い）によって電圧値Ｖ（Ｐｒ）とＶ（Ｐｗ）に分離される。
【００２９】
また、Ｓ／Ｈ回路Ｒ３２に入力するサンプル信号Ｒは、再生時は常にＳ／Ｈ回路Ｒ３２内のスイッチＳＷ１をオン（ＯＮ）にする信号であり、記録時は記録時の再生パワーレベルが出射されている期間あるいはそれよりも若干短い期間のみＳ／Ｈ回路Ｒ３２内のスイッチＳＷ１をオン（ＯＮ）にし、記録パワーレベルが出射されている期間はＳ／Ｈ回路Ｒ３２内のスイッチＳＷ１をオフ（ＯＦＦ）にし、Ｓ／Ｈ回路Ｒ３２内のコンデンサＣで再生パワーレベルに対応した電圧Ｖ（Ｐｒ）のみを取り出すようにコントロールされる信号である。
【００３０】
一方、Ｓ／Ｈ回路Ｗ３３に入力するサンプル信号Ｗは、再生時は常にＳ／Ｈ回路Ｗ３３内のスイッチＳＷ２をオフ（ＯＦＦ）にする信号であり、記録時は記録時の記録パワーレベルが出射されている期間あるいはそれよりも若干短い期間のみＳ／Ｈ回路Ｗ３３内のスイッチＳＷ２をオン（ＯＮ）にし、記録時の再生パワーレベルが出射されている期間はＳ／Ｈ回路Ｗ３３内のスイッチＳＷ２をオフ（ＯＦＦ）にし、Ｓ／Ｈ回路Ｗ３３内のコンデンサＣで記録パワーレベルに対応した電圧Ｖ（Ｐｗ）のみを取り出すようにコントロールされる信号である。
【００３１】
上記Ｓ／Ｈ回路Ｒ３２と上記Ｓ／Ｈ回路Ｗ３３によるサンプルホールドでそれぞれ分離された各Ｖ（Ｐｒ）及びＶ（Ｐｗ）は、それぞれＡ／Ｄ変換器Ｒ３４とＡ／Ｄ変換器Ｗ３５によってデータの形にされ、ＣＰＵ５０に入力として与えられる。その各々のデータをＡＤ（Ｐｒ），ＡＤ（Ｐｗ）とする。
【００３２】
ＣＰＵ５０は、上記ＡＤ（Ｐｒ）及びＡＤ（Ｐｗ）が所望の値（基準値Ｒと基準値Ｗ）になるようにＤ／Ａ変換器Ｒ４１及びＤ／Ａ変換器Ｗ４２の出力するデータを可変する。その各々のデータをＤＡ（Ｐｒ）、ＤＡ（Ｐｗ）とする。
上記Ｄ／Ａ変換器Ｒ４１と上記Ｄ／Ａ変換器Ｗ４２の出力は、それぞれＶ／Ｉ変換器Ｒ４３とＶ／Ｉ変換器Ｗ４５によって電流値に変換及び電流増幅されて電流加算器４６に入力される。
そして、電流加算器４６で加算された電流はＬＤに流れ、ＬＤからレーザ光が出射される。その出射光がＰＤに入射されるため、誤差増幅器を中心にフィードバックループが形成される。
【００３３】
上述のように構成されたフィードバックループにより、基準値によって決定される一定パワーがＬＤから出射されることになる。
実際には、その基準値と出射パワーとの関係を装置製造工程などにおいて求めておく。あるいは、予め決めた基準値と出射パワーとの関係になるように調整する。こうしてＬＤから出射されるパワーが一定になるように制御することをＡＰＣという。ＬＤから出射するパワーを可変したい場合はこの基準値を可変することにより実現できる。
【００３４】
上記Ｖ／Ｉ変換器Ｒ４３と上記電流加算器４６との間の上記Ｖ／Ｉ変換器Ｒ４３の出力側に挿入されたスイッチＳＷ３は、ＬＤからレーザ光を出射する際にはＬＤオン（ＯＮ）信号によってオン（ＯＮ）にされ、上記Ｖ／Ｉ変換器Ｗ４５と上記電流加算器４６との間の上記Ｖ／Ｉ変換器Ｗ４５の出力側に挿入されたスイッチＳＷ５は、記録時の記録パワーレベルの期間のみスイッチＳＷ５をオン（ＯＮ）にするライトパルス信号によってコントロールされる。
上記各スイッチＳＷ１，ＳＷ２，ＳＷ５の制御信号、つまりサンプル信号Ｒ，サンプル信号Ｗ，ライトパルス信号は、図２のＣＤエンコーダ６によって出力される信号である。また、スイッチＳＷ３の制御信号であるＬＤオン信号はＬＤドライバ部４０で出力する。
【００３５】
さて、以上で定常的な発光状態に関して説明したが、次に、ＬＤからレーザ光が出射されていない状態から再生パワーレベルが出射される場合、及び再生パワーレベルのみの出射状態から記録時の出射波形が出射される場合に関して説明する。
【００３６】
まず、ＬＤからレーザ光が出射されていない状態ではＶ（Ｐｒ）＝０である。次に再生パワーで発光を開始する場合にはＣＰＵ５０からのＤＡ（Ｐｒ）を０にした状態で、ＬＤドライバ部４０のＬＤオン信号でスイッチＳＷ３をオンにする。当然、Ｖ（Ｐｒ）＝０なのでＣＰＵ５０は基準値Ｒに比べてＡＤ（Ｐｒ）が小さいのでＤＡ（Ｐｒ）を徐々に上げていき、いずれＡＤ（Ｐｒ）が基準値Ｒと等しくなり、その後ＣＰＵ５０はＡＤ（Ｐｒ）が基準値Ｒになるように維持する。図５は、ＬＤからレーザ光が出射されていない状態から再生パワーレベルが出射される場合のパワーレベルの変化の様子を示す波形図である。
【００３７】
同様にして、再生パワーレベルのみの出射状態から記録時の出射波形が出射される場合もＳ／Ｈ回路Ｒ３２とＳ／Ｈ回路Ｗ３３のスイッチのオンとオフ（ＯＮ／ＯＦＦ）の繰り返しやＬＤドライバ部４０のライトパルス信号によるオンとオフの繰り返しはあるが、同様にＡＤ（Ｐｗ）は０からＤＡ（Ｐｗ）の増加に伴って大きくなり、いずれＡＤ（Ｐｗ）が基準値Ｗと等しくなり、その後ＣＰＵ５０はＡＤ（Ｐｒ）が基準値ｗを維持するように制御する。
図６は、ＬＤが再生パワーレベルのみの出射状態から記録時の出射波形が出射される場合のパワーレベルの変化の様子を示す波形図である。
【００３８】
図１では再生パワー時高周波を重畳する高周波重畳回路４４の出力値をＬＤに重畳できる構成としている。なお、高周波重畳回路４４と電流加算器４６との間の高周波重畳回路４４の出力側に設けられたスイッチＳＷ４によってライトパルス信号に連動して記録パワー時に電流加算器４６への出力をオフ（ＯＦＦ）にし、再生パワー時に電流加算器４６への出力をオン（ＯＮ）にする構成にしている。
【００３９】
また、図１ではライトパルス信号で高周波重畳回路４４による高周波重畳をオフ（ＯＦＦ）にする構成にしているが、ライトパルス時、高周波重畳回路４４による高周波重畳をオフ（ＯＦＦ）にせずに重畳量を可変する場合、ライトパルス信号によって高周波重畳回路４４の出力を抵抗分圧等によって減衰させたり、あるいは高周波重畳回路を２つ用意しておいてこれを切り替えたり、またあるいは高周波重畳回路４４の図示を省略した内部の発振器の出力の電流ゲインを切り替えたりする構成にする必要がある。
ここで、上述したように高周波重畳回路４４による高周波重畳のオンとオフでＬＤの（レーザ駆動電流値）対（発光パワー値）の関係が図１５に示したように変化する。
【００４０】
例えば、上記レーザコントローラ４において、図４に示したリード期間に図１に示した高周波重畳回路４４の出力をオフ（ＯＦＦ）にする期間を設けて、ＡＰＣを行うことにより、高周波重畳のオン（ＯＮ）時のＤＡ（ＰｒＯＮ）と高周波重畳のオフ（ＯＦＦ）時のＤＡ（ＰｒＯＦＦ）を取得し、その差ＤＡ（Ｐｒ差）＝ＤＡ（ＰｒＯＦＦ）−ＤＡ（ＰｒＯＮ）を求めておき、次にライト発光を開始し、ＡＰＣを行ってＤＡ（Ｐｗ）からライトパワーの電流効率値を取得する際、補正効率値＝（Ｐｗ−Ｐｒ）／（ＤＡ（Ｐｗ）−ＤＡ（Ｐｒ差）×α）によって算出し、図１のＣＰＵ５０内の図示を省略したメモリ内に保持するようにする。なお、上記補正効率値＝（Ｐｗ−Ｐｒ）／（ＤＡ（Ｐｗ）−ＤＡ（Ｐｒ差）×α）においてαをかけているのは、図１に示したレーザコントローラ４において、再生パワー制御側と記録パワー制御側で電流ゲインが異なる場合、算出したＤＡ（Ｐｒ差）を記録パワー側の電流ゲインに換算する為の係数である。
【００４１】
次に、試し書き時あるいはゾーンＣＬＶ（ＺｏｎｅＣＬＶ）記録などで記録パワーを変更する場合、上記補正効率値を用い、例えば（Ｐｗ−Ｐｒ）を２倍にする場合、ＤＡ（Ｐｗ２倍）は、ＤＡ（Ｐｗ２倍）＝２×（Ｐｗ−Ｐｒ）／補正効率値＋ＤＡ（Ｐｒ差）×αによって算出する。
ここで市販のレーザドライバ部の仕様書の例を見ると、Ｐｒ系のゲインは（ｍｉｎｉｍｕｍ９３，ｔｙｐｉｃａｌ１０９，ｍａｘｉｍｕｍ１２７）であり、Ｐｗ系のゲインは（ｍｉｎｉｍｕｍ１９０，ｔｙｐｉｃａｌ２２０，ｍａｘｉｍｕｍ２６０）であり、上記αは概略２倍であるが、上記仕様の場合αは１．４９〜２．８の値をとりうることになり、装置によってその効果が大きくばらついてしまう。
【００４２】
次に、図１に示したレーザコントローラ４におけるこの発明の請求項１，４に係る機能及び処理を説明する。
上記補正効率値を上記αのバラツキの影響を受けない構成にしている。
図７は、図１に示したレーザコントローラ４におけるこの発明の請求項１に係る処理を示すフローチャート図である。
レーザコントローラ４は、ステップ（図中「Ｓ」で示す）１のＤ／Ａ変換器に０セットの処理で、ＬＤ発光前の初期化としてＬＤ駆動電流値を決定するＤＡ（Ｐｒ）とＤＡ（Ｐｗ）を０にクリアする。
【００４３】
ステップ２でＬＤオン（ＯＮ）信号をオンにしてＬＤを点灯する。ここでは、点灯するといってもまだＤＡ（Ｐｒ）が０なので実際には点灯しない。
ステップ３でＡＤ（Ｐｒ）＝基準値Ｒとなる状態までＤＡ（Ｐｒ）を増加又は減少させる。つまり、第１のパワー値（第１のパワーレベル）である再生パワーレベルになるようにする（つまりＡＰＣ）。
ステップ４でＡＤ（Ｐｒ）＝基準値ＲとなるＤＡ（Ｐｒ）を取得し、そのＤＡ（Ｐｒ）をＤＡ（ＰｒＯＮ）として記憶すると共に、ステップ５でＤＡ（Ｐｒ）をＤＡ（ＰｒＯＮ）でホールド（保持）し、ステップ６でライトパルス信号をオン（ＯＮ）にする。
【００４４】
これにより、レーザ光にはＤＡ（Ｐｒ）とＤＡ（Ｐｗ）を加算した量に比例した電流値が流れるようになると同時に高周波重畳回路４４はスイッチＳＷ４によってオフ（ＯＦＦ）になる。
その状態で、ステップ７でＡＤ（Ｐｒ）＝基準値ＲになるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。
ステップ８でＡＤ（Ｐｒ）＝基準値ＲになるＤＡ（Ｐｗ）を取得し、そのＤＡ（Ｐｗ）をＤＡ（Ｐｗ）ｏｆｆｓｅｔとして記憶する。
【００４５】
ステップ９でライトパルス信号をオフ（ＯＦＦ）にし、ステップ１０でＡＤ（Ｐｒ）＝基準値ＲになるまでＤＡ（Ｐｒ）を制御（ＡＰＣ）し、通常の第１のパワー値（第１のパワーレベル）であるリードパワーのＡＰＣ動作に戻す。
このようにして取得したＤＡ（Ｐｗ）ｏｆｆｓｅｔが上述のＤＡ（Ｐｒ差）×αに相当するものである。
【００４６】
したがって、補正効率値＝（Ｐｗ−Ｐｒ）／（ＤＡ（Ｐｗ）−ＤＡ（Ｐｗ）ｏｆｆｓｅｔ）によって算出し、ＣＰＵ５０内の図示を省略したメモリに保持するようにし、次の試し書き時あるいはゾーンＣＬＶ（ＺｏｎｅＣＬＶ）記録などで記録パワーを変更する場合、上記補正効率値を用いて、例えば（Ｐｗ−Ｐｒ）を２倍にする場合、ＤＡ（Ｐｗ２倍）はＤＡ（Ｐｗ２倍）＝２×（Ｐｗ−Ｐｒ）／補正効率値＋ＤＡ（Ｐｗ）ｏｆｆｓｅｔより算出することにより、ゲイン比率αを用いずにより正確な記録パワーからデータの記録を開始することができる。
【００４７】
すなわち、この発明の請求項１，４に係る機能として、図１に示したレーザコントローラ４のＬＤドライバ部４０が、記録媒体に対する情報の記録又は再生のための光を発光させる光源ＬＤへの電流供給手段の機能を、上記ＡＰＣ制御部３０が上記光源ＬＤの発光出力レベルをモニタする光出力レベルモニタ手段の機能をそれぞれ果たす。また、上記ＣＰＵ５０が上記記録媒体への情報の記録動作時、上記光源ＬＤに第１のパワー値Ｐ１とその第１のパワー値Ｐ１よりも高い値の第２のパワー値Ｐ２とによる発光動作を交互に繰り返す制御を行う手段の機能をそれぞれ果たす。
【００４８】
さらに、図１に示したＬＤドライバ部４０は、上記第１のパワー値Ｐ１による発光時の第１電流値Ｉ１と上記第２のパワー値Ｐ２と上記第１のパワー値Ｐ１との差分の第２電流値Ｉ２とを加算して出力する手段と、上記第１のパワー値Ｐ１時の高周波電流値Ｉｈｆを上記第１電流値Ｉ１に重畳する手段と、上記第２のパワー値Ｐ２時に上記高周波電流値Ｉｈｆの重畳をオフ又は上記高周波電流値Ｉｈｆと異なる高周波電流値Ｉｈｆ２に切り替える手段との機能を有している。
【００４９】
また、図１に示したＳ／Ｈ回路Ｒ３２と上記Ｓ／Ｈ回路Ｗ３３とがそれぞれ、上記記録媒体への情報の記録動作時、上記第２のパワー値Ｐ２による発光時の上記光出力検出手段の出力値Ｖｍ２をホールドする手段と、上記第１のパワー値Ｐ１による発光時の上記光出力検出手段の出力値Ｖｍ１をホールドする手段の機能を果たし、上記ＣＰＵ５０が上記ホールドした各出力値Ｖｍ１及びＶｍ２がそれぞれ所望値になるように上記電流供給手段を制御する制御手段の機能を果たす。
【００５０】
さらに、図１に示した高周波重畳回路４４が、上記記録媒体への情報の記録動作時、上記第１のパワー値Ｐ１による発光時に高周波を重畳し、上記第２のパワー値Ｐ２による発光時には高周波を重畳しないようにする又は上記第１のパワー値Ｐ１による発光時に重畳する高周波と異なる量の高周波を重畳する手段の機能を果たす。
【００５１】
また、上記ＣＰＵ５０は、上記記録媒体への情報の記録前に、上記第１のパワー値Ｐ１で高周波を重畳した第１の発光期間と、上記第１のパワー値Ｐ１で高周波を重畳しない発光期間又は上記第２のパワー値Ｐ２による発光時に重畳する量の高周波を重畳した上記第１のパワー値Ｐ１での発光期間である第２の発光期間とを設け、上記第１の発光期間と上記第２の発光期間との上記光源ＬＤの駆動電流のＩ差値を保持し、上記第２のパワー値Ｐ２による発光時又は発光後、上記第２のパワー値Ｐ２による上記第２電流値Ｉ２の効率値η＝（Ｐ２−Ｐ１）／Ｉ２を求め、上記第２電流値Ｉ２の効率値ηを上記Ｉ差値で補正した補正効率値＝（Ｐ２−Ｐ１）／（Ｉ２−Ｉ差値）を求め、上記第２のパワー値Ｐ２の変更時、上記効率値ηと上記補正効率値と上記Ｉ差値とに基づいて上記第２のパワー値Ｐ２の変更後の上記第２電流値Ｉ２の電流初期値を決定する手段の機能を果たす。
【００５２】
さらに、上記ＣＰＵ５０は、上記Ｉ差値の取得時、上記記録媒体への情報の記録前に、上記第１の発光期間では上記第１電流値Ｉ１のみによる制御を行い、上記第２の発光期間では上記第１電流値Ｉ１のみによる制御の上記第１電流値Ｉ１を保持した状態で、上記第２電流値Ｉ２にオフセット値Ｉ２ｏｆｆｓｅｔを加算した状態で上記第１のパワー値Ｐ１になるように上記第２電流値Ｉ２の出力を制御し、上記Ｉ差値を上記第２電流値Ｉ２に基づくオフセット値Ｉ２ｏｆｆｓｅｔとして取得する手段の機能を果たす。
【００５３】
このようにして、高周波重畳がオフの時の駆動電流をＤＡ（ＰｒＯＮ）＋ＤＡ（Ｐｗ）ｏｆｆｓｅｔとして取得することにより、補正効率値＝（Ｐｗ−Ｐｒ）／（ＤＡ（Ｐｗ）−ＤＡ（Ｐｗ）ｏｆｆｓｅｔ）として取得することができるので、所定係数αを用いる必要がなく、レーザドライバ部のゲイン差あるいはＤＡ（Ｐｗ）側のオフセット分が改善され、データの書き出し記録品質をより向上させることができる。
【００５４】
次に、この発明の光源駆動装置の他の実施形態について説明する。
図８は、図２に示したこの発明の光源駆動装置の他の実施形態であるレーザコントローラ４′の内部構成を示すブロック図であり、図１と共通する部分には同一符号を付してその説明を省略する。
このレーザコントローラ４′は、図１に示したレーザコントローラ４の機能に光源ＬＤに対してピークパワー値（上述の第３のパワー値に相当する）の電流値も加算して出力できるように構成したものである。
また、このレーザコントローラ４′は、第１ライトパルス信号又は第２ライトパルス信号がオン（ＯＮ）にされてスイッチＳＷ４がオフ（ＯＦＦ）されると、高周波重畳回路４４′から電流加算器４６への高周波重畳電流値の供給が遮断される。
【００５５】
ここで、上記ピークパワーについて説明する。
図９は、ＣＤ−Ｒドライブにおいて光ディスクにデータ記録時実際にレーザ光源より出射される発光の様子を示す説明図である。
この発光の仕方は、ＣＤ−Ｒの規格であるオレンジブックに示されている。
図９に示すように、記録パワーの前縁でライトパワーＰｗよりも高いピークパワーＰｐでの発光期間を設け、記録パワーの出だしの部分はとりわけ強いパワーで基板上の色素の熱を急峻に上げられるように多少持ち上げる。
図８に示したレーザコントローラ４′では、図１のレーザコントローラ４の動作に加えて、サンプルホールド（Ｓ／Ｈ）回路によってＶ（Ｐｐ）を取り出すことをせず、ＣＰＵ５０′が制御を行っているＤＡ（Ｐｗ）に基づいてＤＡ（Ｐｐ）を求めてピークパワーを制御する構成にしている。
【００５６】
次に、図８に示したレーザコントローラ４′におけるこの発明の請求項２，４，５に係る機能及び処理を説明する。
ＣＰＵ５０′はＤ／Ａ変換器Ｐ４７へ出力する上記ＤＡ（Ｐｐ）を以下のようにして算出する。
ＣＰＵ５０′は、まず上述と同様にして補正効率値を求め、その補正効率値を用いたＤＡ（Ｐｐ）＝（Ｐｐ−Ｐｗ）／補正効率値からＤＡ（Ｐｐ）を算出し、Ｄ／Ａ変換器Ｐ４７の出力するデータを可変する。Ｄ／Ａ変換器Ｐ４７の出力した信号はＶ／Ｉ変換器Ｐ４８によって電流値に変換及び電流増幅されて電流加算器４６に入力される。
【００５７】
すなわち、この発明の請求項２，４，５に係る機能として、図８に示したレーザコントローラ４′のＬＤドライバ部４０′が、記録媒体に対する情報の記録又は再生のための光を発光させる光源ＬＤへの電流供給手段の機能を、上記ＡＰＣ制御部３０が上記光源ＬＤの発光出力レベルをモニタする光出力レベルモニタ手段の機能をそれぞれ果たす。また、上記ＣＰＵ５０′が上記記録媒体への情報の記録動作時、上記光源ＬＤに第１のパワー値Ｐ１とその第１のパワー値Ｐ１よりも高い値の第２のパワー値Ｐ２と上記第１のパワー値Ｐ１と上記第２のパワー値Ｐ２よりも高い値の第３のパワー値Ｐ３とによる発光動作を交互に繰り返す制御を行う手段の機能をそれぞれ果たす。
【００５８】
さらに、図８に示したＬＤドライバ部４０′は、上記第１のパワー値Ｐ１による発光時の第１電流値Ｉ１と上記第２のパワー値Ｐ２と上記第１のパワー値Ｐ１との差分の第２電流値Ｉ２と上記第３のパワー値Ｐ３と上記第２のパワー値Ｐ２との差分の第３電流値Ｉ３とを加算して出力する手段と、上記第１のパワー値Ｐ１時の高周波電流値Ｉｈｆを上記第１電流値Ｉ１に重畳する手段と、上記第２のパワー値Ｐ２及び上記第３のパワー値Ｐ３時に上記高周波電流値Ｉｈｆの重畳をオフ又は上記高周波電流値Ｉｈｆと異なる高周波電流値Ｉｈｆ２に切り替える手段との機能を有している。
【００５９】
また、図８に示したＳ／Ｈ回路Ｒ３２と上記Ｓ／Ｈ回路Ｗ３３とがそれぞれ、上記前記記録媒体への情報の記録動作時、上記第２のパワー値Ｐ２による発光時の上記光出力検出手段の出力値Ｖｍ２をホールドする手段と、上記第１のパワー値Ｐ１による発光時の上記光出力検出手段の出力値Ｖｍ１をホールドする手段の機能を果たし、上記ＣＰＵ５０′が上記ホールドした各出力値Ｖｍ１及びＶｍ２がそれぞれ所望値になるように上記電流供給手段を制御する制御手段の機能を果たす。
【００６０】
さらに、図８に示した高周波重畳回路４４′が、上記記録媒体への情報の記録動作時、上記第１のパワー値Ｐ１による発光時に高周波を重畳し、上記第２のパワー値Ｐ２及び上記第３のパワー値Ｐ３による発光時には高周波を重畳しないようにする又は上記第１のパワー値Ｐ１による発光時に重畳する高周波と異なる量の高周波を重畳する手段の機能を果たす。
【００６１】
また、上記ＣＰＵ５０′は、上記記録媒体への情報の記録前に、上記第１のパワー値Ｐ１で高周波を重畳した第１の発光期間と、上記第１のパワー値Ｐ１で高周波を重畳しない発光期間又は上記第２のパワー値Ｐ２及び上記第３のパワー値Ｐ３による発光時に重畳する量の高周波を重畳した上記第１のパワー値Ｐ１での発光期間である第２の発光期間とを設け、上記第１の発光期間と上記第２の発光期間との上記光源ＬＤの駆動電流のＩ差値又はそのＩ差値に比例した比例値を保持し、上記第２のパワー値Ｐ２による発光時又は発光後、上記第２のパワー値Ｐ２による上記第２電流値Ｉ２の効率値η＝（Ｐ２−Ｐ１）／Ｉ２を求め、上記第２電流値Ｉ２の効率値ηを上記Ｉ差値で補正した補正効率値＝（Ｐ２−Ｐ１）／（Ｉ２−Ｉ差値）を求め、上記補正効率値に基づいて上記第３のパワー値Ｐ３の発光を行うための第３電流値Ｉ３＝（Ｐ３−Ｐ２）／補正効率値を決定して上記電流供給手段へ与える手段の機能を果たす。
【００６２】
さらに、上記ＣＰＵ５０′は、上記Ｉ差値の取得時、上記記録媒体への情報の記録前に、上記第１の発光期間では上記第１電流値Ｉ１のみによる制御を行い、上記第２の発光期間では上記第１電流値Ｉ１のみによる制御の上記第１電流値Ｉ１を保持した状態で、上記第２電流値Ｉ２にオフセット値Ｉ２ｏｆｆｓｅｔを加算した状態で上記第１のパワー値Ｐ１になるように上記第２電流値Ｉ２の出力を制御し、上記Ｉ差値を上記第２電流値Ｉ２に基づくオフセット値Ｉ２ｏｆｆｓｅｔとして取得する手段の機能を果たす。
【００６３】
次に、この発明の光源駆動装置のさらに他の実施形態について説明する。
図１０は、図２に示したこの発明の光源駆動装置のさらに他の実施形態であるレーザコントローラ４″の内部構成を示すブロック図であり、図１及び図８と共通する部分には同一符号を付してその説明を省略する。
このレーザコントローラ４″は、図８に示したレーザコントローラ４′のライトパワー側のＳ／Ｈ回路Ｗ３３をピークパワー検出用のピークホールド回路Ｐ３６に変更している。このピークホールド回路Ｐ３６で保持した値はＡ／Ｄ変換器Ｐ３７によってデータＡＤ（Ｐｐ）に変換されてＣＰＵ５０″へ入力され、ＣＰＵ５０″によって処理可能になり、ＣＰＵ５０″はＤＡ（Ｐｗ）ｏｆｆｓｅｔを上述と同様にして求めて保持しておく。
【００６４】
ＤＡ（Ｐｒ）は高周波重畳回路４４″による高周波重畳信号の加算がオンにされている時の駆動電流値しか流されていないので、ＤＡ（Ｐｗ）には高周波重畳信号の加算がオフのときと高周波重畳信号の加算がオンのときの差ＤＡ（Ｐｒ差）が余分に流されることになる。
したがって、ＤＡ（Ｐｗ）からＤＡ（Ｐｗ）ｏｆｆｓｅｔを引いたものとＤＡ（Ｐｐ）が同じ値になるようにしてやれば良い。
つまり、ＤＡ（Ｐｐ）とＤＡ（Ｐｗ）とＤＡ（Ｐｒ差）を用いてＤＡ（Ｐｐ）＝ＤＡ（Ｐｗ）−ＤＡ（Ｐｒ差）とした状態を維持してＡＰＣを行い、補正効率値＝（Ｐｐ−Ｐｒ）／（ＤＡ（Ｐｐ）＋ＤＡ（Ｐｗ）−ＤＡ（Ｐｗ）ｏｆｆｓｅｔ）として求め、ＤＡ（Ｐｐ）＝（Ｐｐ−Ｐｗ）／補正効率値，ＤＡ（Ｐｗ）＝（Ｐｗ−Ｐｒ）／補正効率値＋ＤＡ（Ｐｒ差）として求めてやる。
【００６５】
すなわち、この発明の請求項３，６に係る機能として、図１０に示したレーザコントローラ４″のＬＤドライバ部４０″が、記録媒体に対する情報の記録又は再生のための光を発光させる光源ＬＤへの電流供給手段の機能を、上記ＡＰＣ制御部３０′が上記光源ＬＤの発光出力レベルをモニタする光出力レベルモニタ手段の機能をそれぞれ果たす。また、上記ＣＰＵ５０″か上記記録媒体への情報の記録動作時、上記光源ＬＤに第１のパワー値Ｐ１とその第１のパワー値Ｐ１よりも高い値の第２のパワー値Ｐ２と上記第１のパワー値Ｐ１と上記第２のパワー値Ｐ２よりも高い値の第３のパワー値Ｐ３とによる発光動作を交互に繰り返す制御を行う手段の機能をそれぞれ果たす。
【００６６】
さらに、図１０に示したＬＤドライバ部４０″は、上記第１のパワー値Ｐ１による発光時の第１電流値Ｉ１と上記第２のパワー値Ｐ２と上記第１のパワー値Ｐ１との差分の第２電流値Ｉ２と上記第３のパワー値Ｐ３と上記第２のパワー値Ｐ２との差分の第３電流値Ｉ３とを加算して出力する手段と、上記第１のパワー値Ｐ１時の高周波電流値Ｉｈｆを上記第１電流値Ｉ１に重畳する手段と、上記第２のパワー値Ｐ２及び上記第３のパワー値Ｐ３時に上記高周波電流値Ｉｈｆの重畳をオフ又は上記高周波電流値Ｉｈｆと異なる高周波電流値Ｉｈｆ２に切り替える手段との機能を有している。
【００６７】
また、図１０に示したピークホールド回路Ｐ３６と上記Ｓ／Ｈ回路Ｒ３２とがそれぞれ、上記記録媒体への情報の記録動作時、上記第３のパワー値Ｐ３による発光時の上記光出力検出手段の出力値Ｖｍ３をホールドする手段と、上記第１のパワー値Ｐ１による発光時の上記光出力検出手段の出力値Ｖｍ１をホールドする手段の機能を果たし、上記ＣＰＵ５０″が上記ホールドした各出力値Ｖｍ１及びＶｍ３がそれぞれ所望値になるように上記電流供給手段を制御する制御手段の機能を果たす。
【００６８】
さらに、図１０に示した高周波重畳回路４４″が、上記記録媒体への情報の記録動作時、上記第１のパワー値Ｐ１による発光時に高周波を重畳し、上記第２のパワー値Ｐ２及び上記第３のパワー値Ｐ３による発光時には高周波を重畳しないようにする又は上記第１のパワー値Ｐ１による発光時に重畳する高周波と異なる量の高周波を重畳する手段の機能を果たす。
【００６９】
また、上記ＣＰＵ５０″は、上記記録媒体への情報の記録前に、上記第１のパワー値Ｐ１で高周波を重畳した第１の発光期間と、上記第１のパワー値Ｐ１で高周波を重畳しない発光期間又は上記第２のパワー値Ｐ２及び上記第３のパワー値Ｐ３による発光時に重畳する量の高周波を重畳した上記第１のパワー値Ｐ１での発光期間である第２の発光期間とを設け、上記第１の発光期間と上記第２の発光期間との上記光源の駆動電流のＩ差値又はそのＩ差値に比例した比例値を保持し、上記第３のパワー値Ｐ３による発光時又は発光後、上記第３のパワー値Ｐ３による上記第３電流値Ｉ３の効率値η＝（Ｐ３−Ｐ１）／（Ｉ２＋Ｉ３）を求め、上記第３電流値Ｉ３の効率値ηを上記Ｉ差値で補正した補正効率値＝（Ｐ３−Ｐ１）／（Ｉ２＋Ｉ３−Ｉ差値）を求め、上記補正効率値に基づいて上記第２のパワー値Ｐ２の発光を行うための第２電流値Ｉ２＝（Ｐ２−Ｐ１）／補正効率値＋Ｉ差値と第３電流値Ｉ３＝（Ｐ３−Ｐ２）／補正効率値とを決定して上記電流供給手段へ与える手段の機能を果たす。
【００７０】
さらに、上記ＣＰＵ５０″は、上記Ｉ差値の取得時、上記記録媒体への情報の記録前に、上記第１の発光期間では上記第１電流値Ｉ１のみによる制御を行い、上記第２の発光期間では上記第１電流値Ｉ１のみによる制御の上記第１電流値Ｉ１を保持した状態で、上記第２電流値Ｉ２にオフセット値Ｉ２ｏｆｆｓｅｔを加算した状態で上記第１のパワー値Ｐ１になるように上記第２電流値Ｉ２の出力を制御し、上記Ｉ差値を上記第２電流値Ｉ２に基づくオフセット値Ｉ２ｏｆｆｓｅｔとして取得する手段の機能を果たす。
【００７１】
次に、レーザダイオードの駆動電流対出射パワーの関係は光ディスクの戻り光がある状態と無い状態で大きく異なる。
これは、とりわけホログラムレーザのようにレーザダイオードと信号検出の受光素子が同一パッケージ内に納まり、レーザ光への戻り光量が多い場合に顕著になる。したがって、上記Ｉ差値を求める期間としては、フォーカスサーボ系によってフォーカスオン（ＯＮ）状態で行うのが望ましい。
そこで、次にＩ差値をより正確に求められるレーザコントローラの実施形態について説明する。
【００７２】
この実施形態のレーザコントローラの構成は上記レーザコントローラ４，４′，４″の構成で実現でき、その機能が上述とは若干異なる。
図１１は、上記レーザコントローラ４，４′，４″におけるこの発明の請求項７に係る処理を示すフローチャート図である。
レーザコントローラ４，４′，４″は、ステップ（図中「Ｓ」で示す）２１のＤ／Ａ変換器に０セットの処理で、ＬＤ発光前の初期化としてＬＤ駆動電流値を決定するＤＡ（Ｐｒ）とＤＡ（Ｐｗ）を０にクリアする。
【００７３】
ステップ２２でＬＤオン（ＯＮ）信号をオンにしてＬＤを点灯する。ここでは、点灯するといってもまだＤＡ（Ｐｒ）が０なので実際には点灯しない。
ステップ２３でＡＤ（Ｐｒ）＝基準値Ｒとなる状態までＤＡ（Ｐｒ）を増加又は減少させる。つまり、第１のパワー値（第１のパワーレベル）である再生パワーレベルになるようにする（つまりＡＰＣ）。ＡＤ（Ｐｒ）が基準値Ｒとなった後はこの関係を維持するようにＤＡ（Ｐｒ）を増減させて再生パワーのＡＰＣを続ける。
【００７４】
ステップ２４でフォーカスサーボをオンしてフォーカス引き込みをし、ステップ２５で上記ＡＰＣによって維持されているＡＤ（Ｐｒ）＝基準値ＲとなるＤＡ（Ｐｒ）を取得し、そのＤＡ（Ｐｒ）をＤＡ（ＰｒＯＮ）として保持（記憶）すると共に、ＤＡ（Ｐｒ）をＤＡ（ＰｒＯＮ）でホールド（保持）し、ステップ２６でライトパルス信号をオン（ＯＮ）にする。これにより、高周波重畳電流値を加算するスイッチはオフにされる。
その状態で、ステップ２７でＡＤ（Ｐｒ）＝基準値（基準電圧値）ＲになるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。そして、ＡＤ（Ｐｒ）＝基準値ＲになるＤＡ（Ｐｗ）を取得し、そのＤＡ（Ｐｗ）をＤＡ（Ｐｗ）ｏｆｆｓｅｔとして記憶する。
【００７５】
ステップ２８でライトパルス信号をオフ（ＯＦＦ）にし、ステップ２９でＡＤ（Ｐｒ）＝基準値ＲになるまでＤＡ（Ｐｒ）を制御（ＡＰＣ）し、通常の第１のパワー値（第１のパワーレベル）であるリードパワーのＡＰＣ動作に戻す。
そして、記録パワー発光時の補正効率算出時に上記ＤＡ（Ｐｗ）ｏｆｆｓｅｔを用いる。
【００７６】
すなわち、上記レーザコントローラ４，４′，４″が、フォーカスサーボ系によってフォーカスオン状態で上記第１の発光期間と上記第２の発光期間にする機能を果たす。
このようにして、光ディスクの有無の差により、また光ディスクの反射率の違いにより上記Ｉ差値に違いが生じるが、記録前のフォーカスＯＮ状態で上記Ｉ差値を求めるので、より正確なＩ差値が取得可能であり、従って上記効率値を正しく求めることができ、記録品質をより良好に維持することが可能になる。
【００７７】
次に、レーザノイズを低減する為に高周波を重畳する手段を取り、その高周波の重畳をしない場合、あるいは重畳しても少ない量を重畳する場合、最悪フォーカス信号にレーザノイズがのるため、フォーカスサーボ系がフォーカスＯＮ状態を保持できず、フォーカスが外れてしまう可能性がある。
そこで、次にフォーカス状態が維持できなくなった場合でもリトライによって救済し、上記Ｉ差値を求められるレーザコントローラの実施形態について説明する。
なお、通常の状態ではフォーカスサーボが維持できない状態になることはないが、光ディスクが粗悪な場合あるいは外乱が生じた場合等に本状態が発生する可能性があることをここに断っておく。
【００７８】
この実施形態のレーザコントローラの構成は上記レーザコントローラ４，４′，４″の構成で実現でき、その機能が上述のものとは若干異なる。
つまり、フォーカス外れが検出された場合、再度フォーカス引き込みから行うようにしており、上記レーザコントローラ４，４′，４″が、フォーカスサーボ系によってフォーカスオン状態を維持できなくなってフォーカスオフ状態になってしまった場合、再度フォーカスサーボ系によってフォーカスオン状態にして上記第１の発光期間又は上記第２の発光期間にし、上記オフセット値Ｉ２ｏｆｆｓｅｔを取得する機能を果たす。
【００７９】
図１２は、上記レーザコントローラ４，４′，４″におけるこの発明の請求項８に係る処理を示すフローチャート図であり、図１１に示した処理に高周波重畳オフ後のフォーカス外れ判定処理が追加されている。
レーザコントローラ４，４′，４″は、ステップ（図中「Ｓ」で示す）３１のＤ／Ａ変換器に０セットの処理で、ＬＤ発光前の初期化としてＬＤ駆動電流値を決定するＤＡ（Ｐｒ）とＤＡ（Ｐｗ）を０にクリアする。
【００８０】
ステップ３２でＬＤオン（ＯＮ）信号をオンにしてＬＤを点灯する。ここでは、点灯するといってもまだＤＡ（Ｐｒ）が０なので実際には点灯しない。
ステップ３３でＡＤ（Ｐｒ）＝基準値Ｒとなる状態までＤＡ（Ｐｒ）を増加又は減少させる。つまり、第１のパワー値（第１のパワーレベル）である再生パワーレベルになるようにする（つまりＡＰＣ）。ＡＤ（Ｐｒ）が基準値Ｒとなった後はこの関係を維持するようにＤＡ（Ｐｒ）を増減させて再生パワーのＡＰＣを続ける。
【００８１】
ステップ３４でフォーカスサーボをオンしてフォーカス引き込みをし、ステップ３５で上記ＡＰＣによって維持されているＡＤ（Ｐｒ）＝基準値ＲとなるＤＡ（Ｐｒ）を取得し、そのＤＡ（Ｐｒ）をＤＡ（ＰｒＯＮ）として保持（記憶）する。ステップ３６でライトパルス信号をオン（ＯＮ）にする。これにより、高周波重畳電流値を加算するスイッチはオフにされる。
その状態で、ステップ３７でフォーカス外れか否かを判断し、フォーカス外れならステップ３４へ戻って上述の処理を繰り返し、フォーカス外れでなければステップ３８へ進む。
【００８２】
ステップ３８ではＡＤ（Ｐｒ）＝基準値（基準電圧値）ＲになるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。そして、ＡＤ（Ｐｒ）＝基準値ＲになるＤＡ（Ｐｗ）を取得し、そのＤＡ（Ｐｗ）をＤＡ（Ｐｗ）ｏｆｆｓｅｔとして記憶する。
ステップ３９でライトパルス信号をオフ（ＯＦＦ）にし、ステップ４０でＡＤ（Ｐｒ）＝基準値ＲになるまでＤＡ（Ｐｒ）を制御（ＡＰＣ）し、通常の第１のパワー値（第１のパワーレベル）であるリードパワーのＡＰＣ動作に戻す。
そして、記録パワー発光時の補正効率算出時に上記ＤＡ（Ｐｗ）ｏｆｆｓｅｔを用いる。
【００８３】
このようにして、Ｉ差値を求める際にフォーカスサーボが外れてしまった場合、Ｉ差値が求められない可能性があるが、上述のリトライを行うことにより、Ｉ差値を確実に求めて上述の補正効率値を正しく求めることができ、常に良好な記録品質を維持することができる。
【００８４】
次に、通常の状態ではレーザノイズが高周波重畳により低減できていない状態でも一般的な装置の場合、フォーカスＯＮ状態が維持できなくなることはないが、外乱が生じた場合や光ディスクが粗悪な場合、レーザノイズによってフォーカス信号もいわゆるノイズマージンが少ないため、最悪フォーカスＯＮ状態が維持できなくなる可能性がある。
一時的な外乱等であれば上述のようにリトライすることによって回避することができるが、継続的な外乱や粗悪な品質の光ディスクの場合、リトライしてもＩ２ｏｆｆｓｅｔが求められない可能性がある。
【００８５】
そこで、次にこのようにフォーカス状態でＩ２ｏｆｆｓｅｔが求められなかった場合でも、Ｉ２ｏｆｆｓｅｔとは異なる値のＩ２ｏｆｆｓｅｔｆｏｃｕｓｏｆｆより簡易的にＩ２ｏｆｆｓｅｔを求め、擬似的に正しい効率を求められるレーザコントローラの実施形態について説明する。
つまり、上記レーザコントローラ４，４′，４″が、フォーカスオン状態がフォーカスオフ状態になってしまってオフセット値Ｉ２ｏｆｆｓｅｔを取得できない場合、又は数回リトライを行ってもオフセット値Ｉ２ｏｆｆｓｅｔを取得できない場合、オフセット値Ｉ２ｏｆｆｓｅｔを所定倍（等倍も含む）にした第２のオフセット値Ｉ２ｏｆｆｓｅｔｆｏｃｕｓｏｆｆに変更する機能を果たす。
【００８６】
図１３は、上記レーザコントローラ４，４′，４″におけるこの発明の請求項９に係る処理を示すフローチャート図である。
レーザコントローラ４，４′，４″は、ステップ（図中「Ｓ」で示す）５１のＤ／Ａ変換器に０セットの処理で、ＬＤ発光前の初期化としてＬＤ駆動電流値を決定するＤＡ（Ｐｒ）とＤＡ（Ｐｗ）を０にクリアする。
【００８７】
ステップ５２でＬＤオン（ＯＮ）信号をオンにしてＬＤを点灯する。ここでは、点灯するといってもまだＤＡ（Ｐｒ）が０なので実際には点灯しない。
ステップ５３でＡＤ（Ｐｒ）＝基準値Ｒとなる状態までＤＡ（Ｐｒ）を増加又は減少させる。つまり、第１のパワー値（第１のパワーレベル）である再生パワーレベルになるようにする（つまりＡＰＣ）。ＡＤ（Ｐｒ）が基準値Ｒとなった後はこの関係を維持するようにＤＡ（Ｐｒ）を増減させて再生パワーのＡＰＣを続ける。
【００８８】
ステップ５４で上記ＡＰＣによって維持されているＡＤ（Ｐｒ）＝基準値ＲとなるＤＡ（Ｐｒ）を取得し、そのＤＡ（Ｐｒ）をＤＡ（ＰｒＯＮ）として保持（記憶）する。ステップ５５でライトパルス信号をオンにし、ステップ５６でＡＤ（Ｐｒ）＝基準値（基準電圧値）ＲになるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。そして、ＡＤ（Ｐｒ）＝基準値ＲになるＤＡ（Ｐｗ）を取得し、そのＤＡ（Ｐｗ）をＤＡ（Ｐｗ）ｏｆｆｓｅｔｆｏｃｕｓｏｆｆとして保持（記憶）する。
【００８９】
ステップ５７でライトパルス信号をオフにし、ステップ５８で通常のリードパワーＡＰＣを実行し、ステップ５９でフォーカスサーボをオンしてフォーカス引き込みをし、ステップ６０で上記ＡＰＣによって維持されているＡＤ（Ｐｒ）＝基準値ＲとなるＤＡ（Ｐｒ）を取得し、そのＤＡ（Ｐｒ）をＤＡ（ＰｒＯＮ）として保持（記憶）する。ステップ６１でライトパルス信号をオン（ＯＮ）にする。これにより、高周波重畳電流値を加算するスイッチはオフにされる。
その状態で、ステップ６２でフォーカス外れか否かを判断し、フォーカス外れならステップ６６でＤＡ（Ｐｒ差）＝ＤＡ（Ｐｒ差ＯＦＦ）×αを算出し、ステップ６５で通常のリードパワーＡＰＣ動作に戻す。
【００９０】
一方、ステップ６２の判断でフォーカス外れでなければ、ステップ６３でＡＤ（Ｐｒ）＝基準値（基準電圧値）ＲになるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。そして、ＡＤ（Ｐｒ）＝基準値ＲになるＤＡ（Ｐｗ）を取得し、そのＤＡ（Ｐｗ）をＤＡ（Ｐｗ）ｏｆｆｓｅｔとして保持（記憶）する。その後、ステップ６４でライトパルス信号をオフにし、ステップ６５で通常の第１のパワー値（第１のパワーレベル）であるリードパワーのＡＰＣ動作に戻す。
そして、記録パワー発光時の補正効率算出時に上記ＤＡ（Ｐｗ）ｏｆｆｓｅｔを用いる。
【００９１】
このように、フォーカス引き込み前にＤＡ（Ｐｗ）ｏｆｆｓｅｔｆｏｃｕｓｏｆｆを取得して算出するようにしている。
また、フォーカス引き込み後のＤＡ（Ｐｗ）ｏｆｆｓｅｔ取得時、フォーカス外れが検出された場合はＤＡ（Ｐｗ）ｏｆｆｓｅｔはＤＡ（Ｐｗ）ｏｆｆｓｅｔｆｏｃｕｓｏｆｆに定数をかけたものとして保持し、高周波重畳をオンの状態に戻し、以降のルーチンに進むようにしている。
なお、図１３の処理では一度のフォーカス外れで諦めるようにしているが、複数回フォーカスオン状態での高周波重畳のオフ時のＤＡ（Ｐｒ）を求める為のリトライを行うようにしても良い。
【００９２】
このようにして、継続的な外乱や粗悪な品質の光ディスクの場合、リトライしてもＩ２ｏｆｆｓｅｔが求められない可能性があり、このようにフォーカス状態でＩ２ｏｆｆｓｅｔが求められなかった場合でも、事前に実験等により求めたＩ２ｏｆｆｓｅｔのフォーカスオンとフォーカスオフの関係式を求めておき、その関係式に基づく処理によってフォーカスオフ時のＩ２ｏｆｆｓｅｔｆｏｃｕｓｏｆｆを一定倍して簡易的にＩ２ｏｆｆｓｅｔを求め、擬似的に正しい効率を求めて記録品質を維持することができる。
【００９３】
次に、年々ＣＤ−Ｒ／ＲＷ装置は記録速度の高速化が図られ、それに伴って記録パワーも大きい値が必要になってきている。ここで、記録パワーを大きくとることは、当然レーザ光の駆動電流値も大きい値が必要であり、記録時第１のパワー値と第２のパワー値をスイッチングすることにより、ノイズレベルの増大を引き起こしている。
【００９４】
例えば、記録時のサーボ信号検出を再生パワー発光時にサンプルし、記録パワー発光時ホールドすることによって検出する装置において、上記記録パワーの増大した時に検出信号のＳ／Ｎを稼ぐため、記録時の再生パワーを大きくすることによって信号成分を大きくしてＳ／Ｎを稼ぐ手段を設け、記録時記録パワーに応じてウォブル信号を再生する再生パワーを変化させる装置が考えられる。
ここで、上記Ｉ２ｏｆｆｓｅｔはパワーによって異なる為、記録時の再生パワーを再生時の発光パワーから可変する場合、再生時の発光パワーで高周波を重畳する／しないで求めたＩ２ｏｆｆｓｅｔを補正効率値の算出に用いると、補正効率値が正しく求められない。
【００９５】
そこで、次に再生時の発光パワーと記録時の再生パワーが異なる場合でも、補正効率値を正しく求められるレーザコントローラの実施形態について説明する。つまり、上記レーザコントローラ４，４′，４″が、再生時の発光パワーと記録時の第１のパワー値Ｐ１が異なる場合、再生時の発光パワーから記録時の第１のパワー値Ｐ１にパワー変更後、上記記録媒体への情報の記録前のオフセット値Ｉ２ｏｆｆｓｅｔを求める機能を果たす。
【００９６】
図１４は、上記レーザコントローラ４，４′，４″におけるこの発明の請求項１０に係る処理を示すフローチャート図である。
レーザコントローラ４，４′，４″は、ステップ（図中「Ｓ」で示す）７１のＤ／Ａ変換器に０セットの処理で、ＬＤ発光前の初期化としてＬＤ駆動電流値を決定するＤＡ（Ｐｒ）とＤＡ（Ｐｗ）を０にクリアする。
【００９７】
ステップ７２でＬＤオン（ＯＮ）信号をオンにしてＬＤを点灯する。ここでは、点灯するといってもまだＤＡ（Ｐｒ）が０なので実際には点灯しない。
ステップ７３でＡＤ（Ｐｒ）＝基準値Ｒとなる状態までＤＡ（Ｐｒ）を増加又は減少させる。つまり、第１のパワー値（第１のパワーレベル）である再生パワーレベルになるようにする（つまりＡＰＣ）。ＡＤ（Ｐｒ）が基準値Ｒとなった後はこの関係を維持するようにＤＡ（Ｐｒ）を増減させて再生パワーのＡＰＣを続ける。
【００９８】
ステップ７４でフォーカスサーボをオンしてフォーカス引き込みをし、ステップ７５で上記ＡＰＣによって維持されているＡＤ（Ｐｒ）＝基準値ＲとなるＤＡ（Ｐｒ）を取得し、そのＤＡ（Ｐｒ）をＤＡ（ＰｒＯＮ）として保持（記憶）した後、ＤＡ（Ｐｒ）をＤＡ（ＰｒＯＮ）でホールド（保持）し、ステップ７６でライトパルス信号をオン（ＯＮ）にする。これにより、高周波重畳電流値を加算するスイッチはオフにされる。
その状態で、ステップ７７でＡＤ（Ｐｒ）＝基準値（基準電圧値）Ｒ（記録）になるまでＤＡ（Ｐｗ）を増加又は減少させる。つまり、第１のパワー値（第１のパワーレベル）である再生パワーレベルになるようにする（つまりＤＡ（Ｐｗ）でＡＰＣ）。そして、ＡＤ（Ｐｒ）＝基準値ＲになるＤＡ（Ｐｗ）を取得し、そのＤＡ（Ｐｗ）をＤＡ（Ｐｗ）ｏｆｆｓｅｔとして記憶する。
【００９９】
ステップ７８でライトパルス信号をオフ（ＯＦＦ）にし、ステップ７９でＡＤ（Ｐｒ）の基準値をＲに戻し、ステップ８０でＡＤ（Ｐｒ）＝基準値ＲになるまでＤＡ（Ｐｒ）を調整（ＡＰＣ）する。そして、記録パワー発光時の補正効率算出時に上記ＤＡ（Ｐｗ）ｏｆｆｓｅｔを用いる。
【０１００】
このように、フォーカス引き込み後、記録時の再生パワーＡＰＣによりＡＤ（Ｐｒ）を維持する値になるようにＤＡ（Ｐｒ）を制御し、再生パワーを記録時の再生パワーに変更する。このＡＰＣにより維持されているＤＡ（Ｐｒ）をＤＡ（ＰｒＯＮ）として保持する。そして、ＤＡ（Ｐｗ）ｏｆｆｓｅｔを取得して記録パワー発光時の補正効率算出時に上記ＤＡ（Ｐｗ）ｏｆｆｓｅｔを用いる。
【０１０１】
このようにして、記録前に記録時再生パワーで高周波を重畳する／しない（重畳しても異なる量）でＩ差値を求めることにより、正しく補正効率値が求まり、従って再生時の発光パワーと記録時の再生パワーが異なる場合でも良好な記録品質を維持することができる。
なお、以上の説明では再生パワー時高周波重畳オン、記録パワー時高周波重畳オフに関して説明をしてきたが、記録パワー時高周波重畳オンでも再生パワー時より少ない量の重畳量を重畳する場合も同様にして実施することができる。
【０１０２】
【発明の効果】
以上説明してきたように、この発明の光源駆動装置によれば、レーザドライバなどのバラツキやレーザドライバあるいはＤ／Ａコンバータが有するオフセットがあってもより高精度に効率を求めてより高速なシステムで書き出し記録品質を上げることができる。
【図面の簡単な説明】
【図１】図２に示すこの発明の光源駆動装置の一実施形態であるレーザコントローラの内部構成を示すブロック図である。
【図２】この発明の光源駆動装置の一実施形態であるレーザコントローラを用いたＣＤ−Ｒドライブ等の情報記録再生装置の構成を示すブロック図である。
【図３】ＰＤ入射光量とＰＤ出力電流値との比例関係を示す図である。
【図４】光源ＬＤから出射される具体的な発光波形例を示す波形図である。
【図５】光源ＬＤからレーザ光が出射されていない状態から再生パワーレベルが出射される場合のパワーレベルの変化の様子を示す波形図である。
【図６】光源ＬＤが再生パワーレベルのみの出射状態から記録時の出射波形が出射される場合のパワーレベルの変化の様子を示す波形図である。
【図７】図１に示すレーザコントローラ４におけるこの発明の請求項１，４に係る処理を示すフローチャート図である。
【図８】図２に示すこの発明の光源駆動装置の他の実施形態であるレーザコントローラ４′の内部構成を示すブロック図である。
【図９】ＣＤ−Ｒドライブにおいて光ディスクにデータ記録時実際にレーザ光源より出射される発光の様子を示す説明図である。
【図１０】図２に示すこの発明の光源駆動装置のさらに他の実施形態であるレーザコントローラ４″の内部構成を示すブロック図である。
【図１１】この実施形態のレーザコントローラ４，４′，４″におけるこの発明の請求項７に係る処理を示すフローチャート図である。
【図１２】この実施形態のレーザコントローラ４，４′，４″におけるこの発明の請求項８に係る処理を示すフローチャート図である。
【図１３】この実施形態のレーザコントローラ４，４′，４″におけるこの発明の請求項９に係る処理を示すフローチャート図である。
【図１４】この実施形態のレーザコントローラ４，４′，４″におけるこの発明の請求項１０に係る処理を示すフローチャート図である。
【図１５】レーザダイオード（ＬＤ）のレーザ駆動電流値とレーザ出射パワー値との関係を示した図である。
【図１６】同じくレーザダイオード（ＬＤ）のレーザ駆動電流値とレーザ出射パワー値との関係を示した図である。
【符号の説明】
１：スピンドルモータ    ２：光ピックアップ
３：モータドライバ      ４：レーザコントローラ
５：リードアンプ        ６：ＣＤエンコーダ
７：ＡＴＩＰデコーダ    ８：ＣＤデコーダ
９：サーボ              １０：ＣＤ−ＲＯＭエンコーダ
１１：バッファＲＡＭ    １２：ＣＤ−ＲＯＭデコーダ
１３：Ｄ／Ａコンバータ  １４：バッファマネージャ
１５：インタフェース（Ｉ／Ｆ）
１６：ＲＯＭ            １７：ＲＡＭ
１８，５０，５０′，５０″：ＣＰＵ
２０：光ディスク        ３０，３０′：ＡＰＣ制御部
３１：Ｉ／Ｖ変換器      ３２：Ｓ／Ｈ回路Ｒ
３３：Ｓ／Ｈ回路Ｗ      ３４：Ａ／Ｄ変換器Ｒ
３５：Ａ／Ｄ変換器Ｗ    ３６：ピークホールド回路Ｐ
３７：Ａ／Ｄ変換器Ｐ
４０，４０′，４０″：ＬＤドライバ部
４１：Ｄ／Ａ変換器Ｒ    ４２：Ｄ／Ａ変換器Ｗ
４３：Ｖ／Ｉ変換器Ｒ
４４，４４′，４４″：高周波重畳回路
４５：Ｖ／Ｉ変換器Ｗ    ４６：電流加算器
４７：Ｄ／Ａ変換器Ｐ    ４８：Ｖ／Ｉ変換器Ｐ
ＬＤ：光源              ＰＤ：フォトディテクタ
【図１】
2004288277.tif 000003
【図２】
2004288277.tif 000004
【図３】
2004288277.tif 000005
【図４】
2004288277.tif 000006
【図５】
2004288277.tif 000007
【図６】
2004288277.tif 000008
【図７】
2004288277.tif 000009
【図８】
2004288277.tif 000010
【図９】
2004288277.tif 000011
【図１０】
2004288277.tif 000012
【図１１】
2004288277.tif 000013
【図１２】
2004288277.tif 000014
【図１３】
2004288277.tif 000015
【図１４】
2004288277.tif 000016
【図１５】
2004288277.tif 000017
【図１６】
2004288277.tif 000018